(57)【要約】  携帯型電子デバイス（１００、６０７、７１１、７１３、７１５、８０８）は、ワイヤレスコンテンツ（１０７）を受信するよう構成されるワイヤレス受信機と、少なくとも１つの接続式メディアプレゼンテーションホストデバイス（２０３、５０７、５１７、５１９、６１３、７２１、７２３、８１０）を有するドッキングステーション（２０１、５１３、５１５、５２０、６０９、７１７、７１９、８０９）にインタフェースするよう構成される通信インタフェース（６０８，６１２）と、コンテンツ再生成回路とを有する。コンテンツ再生成回路は、メディアプレゼンテーションホストデバイス（２０３、５０７、５１７、５１９、６１３、７２１、７２３、８１０）によって要求されるフォーマットを決定し、要求されたフォーマットで通信インタフェースを通してホストデバイス（２０３、５０７、５１７、５１９、６１３、７２１、７２３、８１０）にコンテンツをストリーム転送するよう構成される。
2011509564.tif 000002
【特許請求の範囲】
【請求項１】
携帯型電子デバイス（１００、６０７、７１１、７１３、７１５、８０８）であって、
ワイヤレスコンテンツ（１０７）を受信するよう構成されるワイヤレス受信機と、
少なくとも１つの接続式メディアプレゼンテーションホストデバイス（２０３、５０７、５１７、５１９、６１３、７２１、７２３、８１０）を有するドッキングステーション（２０１、５１３、５１５、５２０、６０９、７１７、７１９、８０９）に接続する通信インタフェース（６０８，６１２）と、
コンテンツ再生成回路とを備え、前記コンテンツ再生成回路は、前記メディアプレゼンテーションホストデバイス（２０３、５０７、５１７、５１９、６１３、７２１、７２３、８１０）によって要求されるフォーマットを判定し、前記フォーマットで前記通信インタフェース（６０８，６１２）を通して前記ホストデバイス（２０３、５０７、５１７、５１９、６１３、７２１、７２３、８１０）に前記コンテンツをストリーム転送する、携帯型電子デバイス（１００、６０７、７１１、７１３、７１５、８０８）。
【請求項２】
前記メディアプレゼンテーションホストデバイス（２０３、５０７、５１７、５１９、６１３、７２１、７２３、８１０）への接続を検出するための回路をさらに備える請求項１に記載の携帯型電子デバイス（１００、６０７、７１１、７１３、７１５、８０８）。
【請求項３】
前記ワイヤレスコンテンツ（１０７）の供給源（６０５、６０７）と通信するためのワイヤレス送信機（５０３）をさらに備える請求項１に記載の携帯型電子デバイス（１００、６０７、７１１、７１３、７１５、８０８）。
【請求項４】
ディスプレイスクリーン（１０３、４０１）をさらに備える請求項１に記載の携帯型電子デバイス（１００、６０７、７１１、７１３、７１５、８０８）。
【請求項５】
前記コンテンツ再生成回路は、携帯型電子デバイス（１００、６０７、７１１、７１３、７１５、８０８）が前記ドッキングステーション（２０１、５１３、５１５、５２０、６０９、７１７、７１９、８０９）に接続されないとき、さらに、前記ディスプレイスクリーン（１０３、４０１）上で前記コンテンツを再生成する、請求項４に記載の携帯型電子デバイス（１００、６０７、７１１、７１３、７１５、８０８）。
【請求項６】
前記コンテンツ再生成回路は、第１フォーマットから、前記メディアプレゼンテーションホストデバイス（２０３、５０７、５１７、５１９、６１３、７２１、７２３、８１０）によって要求される前記第２フォーマットに前記ワイヤレスコンテンツ（１０７）を変換する請求項１に記載の携帯型電子デバイス（１００、６０７、７１１、７１３、７１５、８０８）。
【請求項７】
前記メディアプレゼンテーションホストデバイス（２０３、５０７、５１７、５１９、６１３、７２１、７２３、８１０）によって要求される前記フォーマットは、テレビジョンブロードキャストフォーマット、無線ブロードキャストフォーマット、高品位ビデオフォーマット、高品位オーディオフォーマット、従来のアナログビデオフォーマット、従来のアナログオーディオフォーマット、ストリーム転送用ビデオフォーマット、ならびに、その組合せおよびその派生物からなる群から選択される、請求項１に記載の携帯型電子デバイス（１００、６０７、７１１、７１３、７１５、８０８）。
【請求項８】
移動体メディアプレゼンテーションのシステム（５００、６００、７００、８００）であって、
リモートコンテンツ（１０７）プロバイダと、
前記リモートコンテンツ（１０７）プロバイダとワイヤレス通信状態にある携帯型電子デバイス（１００、６０７、７１１、７１３、７１５、８０８）とを備え、
前記携帯型電子デバイス（１００、６０７、７１１、７１３、７１５、８０８）は、コンテンツ（１０７）をメディアプレゼンテーションホストデバイス（２０３、５０７、５１７、５１９、６１３、７２１、７２３、８１０）に送信するとき、第１解像度の前記コンテンツ（１０７）を、また、コンテンツ（１０７）をメディアプレゼンテーションホストデバイス（２０３、５０７、５１７、５１９、６１３、７２１、７２３、８１０）に送信しないとき、第２解像度の前記コンテンツ（１０７）を、前記リモートコンテンツ（１０７）プロバイダから受信するよう構成されるシステム（５００、６００、７００、８００）。
【請求項９】
前記携帯型電子デバイス（１００、６０７、７１１、７１３、７１５、８０８）は、ディスプレイスクリーン（１０３、４０１）、スピーカ、およびその組合せからなる群から選択されるメディア再生成装置を備える請求項８に記載のシステム（５００、６００、７００、８００）。
【請求項１０】
前記携帯型電子デバイス（１００、６０７、７１１、７１３、７１５、８０８）は、前記コンテンツ（１０７）をメディアプレゼンテーションホストデバイス（２０３、５０７、５１７、５１９、６１３、７２１、７２３、８１０）に送信しないとき、前記ディスプレイスクリーン（１０３、４０１）上で前記コンテンツ（１０７）を再生成するよう構成される請求項９に記載のシステム（５００、６００、７００、８００）。
【請求項１１】
前記携帯型電子デバイス（１００、６０７、７１１、７１３、７１５、８０８）は、ドッキングステーション（２０１、５１３、５１５、５２０、６０９、７１７、７１９、８０９）に選択的に接続するよう構成されるインタフェース回路を備え、前記ドッキングステーション（２０１、５１３、５１５、５２０、６０９、７１７、７１９、８０９）は、前記メディアプレゼンテーションホストデバイス（２０３、５０７、５１７、５１９、６１３、７２１、７２３、８１０）と通信状態にある請求項８に記載のシステム（５００、６００、７００、８００）。
【請求項１２】
前記インタフェース回路は、前記ドッキングステーション（２０１、５１３、５１５、５２０、６０９、７１７、７１９、８０９）への接続を検出し、前記検出によって、メディアプレゼンテーションホストデバイス（２０３、５０７、５１７、５１９、６１３、７２１、７２３、８１０）から解像度情報を取出す、請求項１１に記載のシステム（５００、６００、７００、８００）。
【請求項１３】
前記携帯型電子デバイス（１００、６０７、７１１、７１３、７１５、８０８）は、前記ドッキングステーション（２０１、５１３、５１５、５２０、６０９、７１７、７１９、８０９）の接続状態の変化を検出するとすぐ、前記コンテンツ（１０７）の前記解像度を変更するための要求を前記リモートコンテンツ（１０７）プロバイダに送信する、請求項８に記載のシステム（５００、６００、７００、８００）。
【請求項１４】
前記第１および第２のフォーマットは、テレビジョンブロードキャストフォーマット、無線ブロードキャストフォーマット、高品位ビデオフォーマット、高品位オーディオフォーマット、従来のアナログビデオフォーマット、従来のアナログオーディオフォーマット、ストリーム転送用ビデオフォーマット、ならびに、その組合せおよびその派生物からなる群から選択される請求項８に記載のシステム（５００、６００、７００、８００）。
【請求項１５】
モバイルメディアプレゼンテーションの方法であって、
第１フォーマットを有するデジタルコンテンツ（１０７）を携帯型電子デバイス（１００、６０７、７１１、７１３、７１５、８０８）にストリーム転送するステップと、
前記携帯型電子デバイス（１００、６０７、７１１、７１３、７１５、８０８）が前記にドッキングステーション（２０１、５１３、５１５、５２０、６０９、７１７、７１９、８０９）接続されたという指示を受信するステップと、
デジタルコンテンツ（１０７）を第２フォーマットで前記携帯型電子デバイス（１００、６０７、７１１、７１３、７１５、８０８）にストリーム転送するステップとを備える方法。
【請求項１６】
所望の解像度の、前記携帯型電子デバイス（１００、６０７、７１１、７１３、７１５、８０８）からの指示を受信するステップをさらに備える請求項１５に記載の方法。
【請求項１７】
前記デジタルコンテンツ（１０７）は、前記所望の解像度の前記第２フォーマットで前記携帯型電子デバイス（１００、６０７、７１１、７１３、７１５、８０８）にストリーム転送される、請求項１６に記載の方法。
【請求項１８】
前記第２解像度は、前記第１解像度より高い請求項１５に記載の方法。
【請求項１９】
前記第２フォーマットは、前記携帯型電子デバイス（１００、６０７、７１１、７１３、７１５、８０８）によって指示される所望のコンテンツプロトコルを含む請求項１５に記載の方法。
【請求項２０】
前記携帯型電子デバイス（１００、６０７、７１１、７１３、７１５、８０８）が、前記ドッキングステーション（２０１、５１３、５１５、５２０、６０９、７１７、７１９、８０９）から取り外されたという指示を受信するステップと、
デジタルコンテンツ（１０７）を前記第１解像度で前記携帯型電子デバイス（１００、６０７、７１１、７１３、７１５、８０８）にストリーム転送することを再開するステップとをさらに備える請求項１５に記載の方法。
【発明の詳細な説明】
【技術分野】
【０００１】
本発明は携帯型電子デバイス用移動体メディアプレゼンテーションドッキングステーションの装置および方法に関する。
【背景技術】
【０００２】
携帯型電子デバイスは、ユーザに、益々増加する一連の特徴および能力をユーザに提供する。たとえば、ワイヤレス電話、携帯情報端末、スマートフォン、ポケットコンピュータ、および同様なデバイスは、ユーザがデータを管理し、電話をかけ、テキストまたは電子メールメッセージを送受信することを可能にする。
【０００３】
さらに、多くの携帯型電子デバイスは、インターネットへのワイヤレス接続を提供しうる。この接続は、たとえば、ワイヤレスまたはｗｉ−ｆｉホットスポットを通して、あるいは、移動体電話ネットワークなどのサービスエリア全体を通して配設される送受信機ステーションのネットワークを通して提供されてもよい。多くの異なるシステムおよびプロトコルが使用されて、携帯型電子デバイスが、ワイヤレスサービスプロバイダのシステムを通してインターネットまたは他のコンピュータネットワークにワイヤレスで接続されうる。
【０００４】
インターネットまたは他のサービスプロバイダのコンピュータネットワークへのアクセスによって、携帯型電子デバイスは、益々、いろいろなオーディオおよびオーディオビジュアルメディアコンテンツに対するアクセスを提供できる。たとえば、携帯型電子デバイスを使用して、ユーザは、歌、ニュース映像、ビデオクリップ、音楽ビデオ、ムービー、テレビジョンプログラムなどのようなオーディオまたはオーディオビジュアルコンテンツをダウンロードできるかまたはストリーム転送できてもよい。いずれのオーディオ、ビジュアル、またはオーディオビジュアルコンテンツも、これらの携帯型電子デバイスにダウンロードされうるか、または、ストリーム転送されうる。
【０００５】
携帯型電子デバイスを通した無制限の種類のコンテンツに対するこのアクセスは、携帯型電子デバイスをサポートするワイヤレスサービスエリア内の任意のロケーションからコンテンツがアクセスされ享受されうるため、ユーザにとって特に役立つ。その結果、ユーザは、家庭またはオフィスから離れたとき、たとえば旅行するとき、面会の約束を待つとき、使い走りをするときなどに、所望のオーディオまたはオーディオビジュアルコンテンツにアクセスできる。
【０００６】
しかし、携帯型電子デバイスは、その性質上、ユーザである人に装着されて容易に運ばれるために、サイズがコンパクトである。結果として、携帯型電子デバイス上のディスプレイデバイスは、通常、著しく小さく、携帯型電子デバイス上でストリーム転送されるビデオコンテンツを凝視するユーザの能力または希望に影響を及ぼす可能性がある。
【０００７】
さらに、携帯型電子デバイスを使用してオーディオを聞くとき、ユーザは、通常、イヤフォンまたはヘッドフォンを装着しなければならない。これは、ユーザの近くの人々が、ユーザによって享受されるオーディオを聞くことを妨げる。さらに、イヤフォンまたはヘッドフォンは、ユーザがヘッドフォンを装着していない場合に大型スピーカを作動させるのに必要とされることになる電力と比較して、携帯型電子デバイス内の制限された電力を節約する。
【０００８】
比較的小さなディスプレイデバイスを凝視すること、および／または、イヤフォンまたはヘッドフォンを使用することは、携帯性を可能にするのに十分である可能性がある。しかし、ユーザは、大型の高精細ディスプレイ、高品質スピーカ、またはオーディオビジュアルコンテンツの再生用の他の強化された機構を有するデバイスにアクセスしうる、自分の家庭か、オフィスか、または他のある場所に到着するとき、時として、携帯型電子デバイス上のコンテンツを視聴している最中、かつ／または、聞いている最中である場合がある。
【０００９】
こうした場合、ユーザは、通常、携帯型電子デバイスの比較的不便な小型ディスプレイ上のコンテンツを凝視することを終えるか、または、携帯型電子デバイス上の所望のコンテンツを凝視することを中止し、次に、コンピュータまたはセットトップボックスなどの別のデバイスを作動させ、大型スクリーン、スピーカおよび／または強化されたユーザインタフェースの利点を提供する新しいデバイスに対する所望のコンテンツのダウンロードまたはストリーム転送を、ほぼ確実に追加コストを払って再開しなければならない。
【発明の概要】
【発明が解決しようとする課題】
【００１０】
明らかに、携帯型電子デバイス上のコンテンツを視聴することを中止し、別のデバイス上でコンテンツに追加コストを払って再アクセスすることは不便である。第２のデバイスは、コンテンツを享受することを容易にさせる大型スクリーンまたは他の機構を提供する可能性があるが、ユーザは、デバイス間を移行する時間を浪費することになる。さらに、ユーザは、かなりの部分が携帯型電子デバイス上で既に経験されているにもかかわらず、プログラムまたはコンテンツの始めから再び開始しなければならない可能性がある。
【課題を解決するための手段】
【００１１】
大型ディスプレイまたはコンテンツについてのユーザの享受を高める他の機構を有するデバイスにそのコンテンツの経験を移行したいとおそらくは思うが、携帯型電子デバイスに対してコンテンツをダウンロードするかまたはストリーム転送する能力によって提示される問題に対処するために、本仕様は、大型ディスプレイまたはコンテンツについてのユーザの享受を高める他の機構を提供するかまたは含む第２のオーディオビジュアル再生システムに、携帯型電子デバイスが、選択的に接続されうるかまたは通信状態になりうる新規なシステムを述べる。本明細書で述べるように、携帯型電子デバイスと第２のオーディオビジュアル再生システムのこのインタフェースは、間断なくあるいはコンテンツを再開するまたはコンテンツに再アクセスする必要なしで、第２のオーディオビジュアルシステム上でのコンテンツの再生を自動的に始動しうる。
【図面の簡単な説明】
【００１２】
【図１】例証的な携帯型電子デバイスを示す斜視図。
【図２】例証的な携帯型電子デバイスが例証的なドッキングステーションに挿入される状態を示す斜視図。
【図３】例証的な携帯型電子デバイスの別の視点の斜視図。
【図４】例証的な携帯型電子デバイスからのメディアコンテンツが例証的なドッキングステーションの例証的なホストデバイス上で表示される図。
【図５】移動体メディアプレゼンテーションの例証的なシステムを示す図。
【図６】移動体メディアプレゼンテーションの例証的なシステムのブロック図。
【図７】移動体メディアプレゼンテーションの例証的なシステムのブロック図。
【図８】移動体メディアプレゼンテーションの例証的なシステムのブロック図。
【図９】移動体メディアプレゼンテーションの例証的なシステムのブロック図。
【図１０】例証的な携帯型電子デバイスのブロック図。
【図１１】移動体メディアプレゼンテーションの例証的な方法のブロック図。
【図１２】移動体メディアプレゼンテーションの例証的な方法のブロック図。
【発明を実施するための形態】
【００１３】
添付図面は、本明細書で述べる原理の種々の実施形態を示し、また、仕様の一部である。示す実施形態は、例に過ぎず、特許請求項の範囲を制限しない。複数の図面にわたって、同一の参照数字は、必ずしも同一ではないが、同様の要素を示す。
【００１４】
本明細書でまた添付特許請求の範囲で使用されるように、用語「携帯型電子デバイス」は、特にサポーティングワイヤレスネットワークを通して携帯型電子デバイスにコンテンツがワイヤレスで提供される場合、オーディオ、ビジュアル、またはオーディオビジュアルコンテンツを経験するのに使用されうる任意の携帯型電子デバイスを指すのに使用される。その結果、用語「携帯型電子デバイス」は、限定はしないが、携帯情報端末（ＰＤＡ）、携帯電話および移動体電話、スマートフォン、ＭＰ３プレーヤ、携帯型全地球測位システム（ＧＰＳ）ユニット、携帯型衛星受信機、ポケットコンピュータおよびラップトップコンピュータなどを含んでもよい。新しい携帯型デバイスは、新しい携帯型デバイスをいろいろな目的で使用する消費者に対して開発され市販され続けることが当業者によって認識されるであろう。こうした新しい携帯型デバイスはまた、本仕様および開示される技法のために、携帯型電子デバイスの広範な定義に含まれてもよい。
【００１５】
本仕様でまた添付特許請求の範囲で使用されるように、用語「コンテンツ」または「メディアコンテンツ」は、限定はしないが、オーディオ有りかまたは無しの静止画像、オーディオ有りかまたは無しのビデオ画像、オーディオコンテンツだけ、およびその任意の組合せを含む、任意のオーディオ、ビジュアル、またはオーディオビジュアルデータを指す。こうしたコンテンツの例は、ブロードキャストテレビジョンコンテンツ、ペイパービューコンテンツ、ビデオオンデマンドコンテンツ、音楽ビデオ、ビデオ無しの音楽、電子メールメッセージ、電子テキスト、ｅｂｏｏｋ、ビデオブック、ウェブページなどを含んでもよい。
【００１６】
本仕様でまた添付特許請求の範囲で使用されるように、用語「ホストデバイス」は、電子コンテンツ再生デバイスを指すのに使用されるであろう。通常、ホストデバイスは、携帯型電子デバイス上での再生に比較して、再生されるメディアコンテンツについてのユーザの享受を改善するかまたは高める傾向がある比較的大型のスクリーン、スピーカ、および／または他の機構を含むかまたは提供することになる。通常、ホストデバイスは、一般に、携帯型でないデバイスであるが、これは必ずしもそうであるわけではない。
【００１７】
本仕様でまた添付特許請求の範囲で使用されるように、用語「ドッキングステーション」は、携帯型電子デバイスとホストデバイスを通信可能に接続する、すなわち、インタフェースするよう構成される電子デバイスを指す。ドッキングステーションは、携帯型電子デバイスを物理的に支持するかまたは収容してもよいが、これは必ずしもそうであるわけではない。一部の実施形態では、ドッキングステーションは、メディアコンテンツを携帯型電子デバイスからホストデバイスへ送信するよう特に構成される。こうして、ユーザは、携帯型電子デバイス上でコンテンツ再生を経験することと、ホストデバイス上での同じコンテンツの再生との間でシームレスに移行できる。
【００１８】
上述した問題を克服するために、本仕様は、携帯型電子デバイスと、携帯型電子デバイスにインタフェースできるホストデバイスとの間でユーザがメディアコンテンツの再生をシームレスにシフトすることを可能にするシステムの種々の実施形態を開示する。これらの実施形態の一部は、携帯型電子デバイス用のドッキングステーションを含む。こうした実施形態では、第１通信インタフェースは、携帯型電子デバイスとドッキングステーションを接続するよう構成される。第２の通信インタフェースは、ドッキングステーションとホストデバイスを接続するよう構成される。一部の実施形態では、ドッキングステーションは、携帯型電子デバイスがドッキングステーションに接続したことを検出し、携帯型電子デバイスからのコンテンツを用いて、ホストデバイス上で再生されている既存のメディアコンテンツに自動的に先んじるかまたは既存のメディアコンテンツを置換えるよう構成される。メディアコンテンツは、ホストデバイスによってサポートされるフォーマットでホストデバイスに送信されてもよい。
【００１９】
さらに、本仕様は、ホストデバイスと携帯型電子デバイスとの間の新しいインタフェースを検出するステップと、ホストデバイスに関連する他のコンテンツ送出手段に先んじるステップと、携帯型電子デバイスからのストリーム転送用メディアコンテンツを受信するステップと、ホストデバイスに適合するフォーマットでホストデバイスにメディアコンテンツをストリーム転送するステップと、ホストデバイス上でメディアコンテンツを提示するステップとを含む移動体メディアプレゼンテーション方法を開示する。
【００２０】
以下の記述では、説明のため、多数の特定の詳細が、本システムおよび方法の完全な理解を与えるために述べられる。しかし、本システムおよび方法が、これらの特定の詳細無しで実施されてもよいことが当業者に明らかになるであろう。「ある実施形態(an embodiment)」、「ある実施例(an example)」、または同様な言語に対する本仕様における参照は、実施形態または実施例に関連して述べる特定の特徴、構造、または特性が、少なくともその１つの実施形態に含まれるが、必ずしも他の実施形態に含まれるわけではないことを意味する。句「ある実施形態では(in an embodiment)」または仕様の種々の場所における同様な句の種々の例は、必ずしも全てが同じ実施形態を参照するわけではない。
【００２１】
本明細書に開示される原理は、ここで、例示的なメディアコンテンツプレゼンテーションシステムおよび方法に関して説明されるであろう。
例証的システム
ここで図１を参照すると、例証的な携帯型電子デバイス（１００）は、本明細書で述べる原理に従って示される。例証的な携帯型電子デバイス（１００）は、主ケースまたはハウジング（１０１）、一部の実施形態では接触感応性スクリーンであってよいスクリーン（１０３）、およびユーザインタフェースを有する。
【００２２】
例証的な実施例では、スクリーン（１０３）は、接触感応性スクリーンであり、ユーザインタフェースは、スクリーン（１０３）の下方部分上に表示される「ソフトボタン」スタイルコントロール（１０９、１１１、１１３、１１５、１１７）を含む。その結果、携帯型電子デバイス（１００）の「ソフトボタン」コントロール（１０９、１１１、１１３、１１５）は、スタイラス（１１９）、ユーザの指などによる接触感応性スクリーンに対する圧力によって作動されてもよい。
【００２３】
他の実施形態では、接触感応性が必ずしも使用されない場合、携帯型電子デバイス（１００）のユーザインタフェースは、ハウジング（１０１）上の物理的ボタンを含んでもよく、物理的ボタンは、作動されると、ディスプレイスクリーン（１０３）上で、その物理的ボタンに関連して表示されるラベルに応じて種々の機能を提供する。なお他の実施形態では、ハウジング（１０１）内の物理的ボタンは、変わらない所定の機能を有してもよい。
【００２４】
例示的な携帯型電子デバイス（１００）が示され、スクリーン（１０３）上にビデオコンテンツ（１０７）を表示する。一部の実施形態では、メディアコンテンツ（１０７）は、携帯型電子デバイス（１００）のアンテナ（１０５）にワイヤレスで送信される。アンテナ（１０５）は、携帯型電子デバイス（１００）の内部にあってもよく、または、外部にあってもよい。一部の実施形態では、携帯型電子デバイス（１００）のユーザは、携帯または移動体ネットワークプロバイダから有料メディアコンテンツを受信してもよい。他の実施形態では、ビデオメディアコンテンツ（１０７）は、ワイヤレスコンピュータネットワーク（「Ｗｉ−Ｆｉ」ネットワークとも呼ばれる）によって提供されるインターネットアクセス、すなわち、コンピュータなどの別の電子デバイスまたは別の携帯型電子デバイスに対する接続を通してワイヤレスで受信されてもよい。なお他の実施形態では、メディアコンテンツ（１０７）は、テレビジョンブロードキャストなどの、一般に大衆にブロードキャストされるコンテンツであってよい。
【００２５】
一部の実施形態では、携帯型電子デバイス（１００）によって再生成されるビデオメディアコンテンツ（１０７）は、携帯型電子デバイス（１００）にダウンロードされ、携帯型電子デバイス（１００）のハードディスクまたは他の電子記憶デバイス（たとえば、フラッシュＲＡＭ）上に格納されたコンテンツであってよい。他の実施形態では、ビデオメディアコンテンツ（１０７）は、上述したワイヤレス接続を通して携帯型電子デバイス（１００）に対してストリーム転送すなわちストリーミングしてもよい。
【００２６】
携帯型電子デバイス（１００）および／または携帯型電子デバイス（１００）上で実行されるソフトウェアは、スクリーン（１０３）上で再生成されるメディアコンテンツ（１０７）の操作を容易にするようにデザインされてもよい。たとえば、「ソフトボタン」コントロール（１０９、１１１、１１３、１１５）の一部は、再生モードの速度または方向に影響を及ぼすために使用されてもよい。メニュー「ソフトボタン」コントロール（１１７）を通して、さらなるオプションが調整されるか、または、追加の機能が提供されてもよい。同様のコントロール機能は、携帯型デバイス（１００）に関して提供されるユーザインタフェースのタイプによらずに提供されうる。
【００２７】
先に述べたように、種々の異なる実施形態では、携帯型電子デバイス（１００）は、携帯情報端末（ＰＤＡ）、携帯電話および移動体電話、パーソナルメディアプレーヤ、または他の汎用デバイスであってよい。こうした実施形態では、携帯型電子デバイス（１００）は、ユーザが、携帯型電子デバイス（１００）上に格納されるかまたは携帯型電子デバイス（１００）にワイヤレスで送信されるメディアコンテンツにアクセスすることを可能にする特別なソフトウェアがインストールされていてもよい。他の実施形態では、携帯型電子デバイス（１００）は、特定のプロバイダからのメディアコンテンツ（１０７）のワイヤレス送信を受信し、次に、メディアコンテンツ（１０７）を再生成するかまたは再生するために特別にデザインされてもよい。
【００２８】
いずれにしても、携帯型電子デバイス（１００）は、以下で詳細に述べるように、メディアコンテンツ（１０７）を再生するときのユーザの経験を高めるために、ホストデバイスに選択的にインタフェースされるよう構成される。こうした事例では、携帯型電子デバイス（１００）は、ホストデバイス用のコンテンツ供給源になる。
【００２９】
ここで図２を参照すると、携帯型電子デバイス（１００）は、メディアコンテンツ（１０７）を再生するときのユーザの経験を高めるために、ホストデバイス（２０３）に選択的にインタフェースされる。ドッキングステーション（２０１）は、ファームウェア、ソフトウェア、またはその組合せ（一まとめに本明細書では「ソフトウェア(software)」と呼ぶ）を実行するよう構成される処理要素（２０２）を備えてもよい。適した処理要素（２０２）の実施例は、マイクロプロセッサ、コンピューティングデバイス、特定用途向け集積回路（ＡＳＩＣ）、フィールドプログラマブルゲートアレイ、およびその組合せを含むが、それに限定されない。処理要素（２０２）上で実行されルソフトウェアは、携帯型電子デバイス（１００）から受信されるメディアコンテンツを、ホストデバイス（２０３）によってサポートされるフォーマットに変換するよう構成されてもよい。一部の実施形態では、ソフトウェアは、ホストデバイス（２０３）によってサポートされるフォーマットを識別し、利用可能である場合、ホストデバイス（２０３）によってサポートされるフォーマットで携帯型電子デバイス（１００）からメディアコンテンツを要求してもよい。
【００３０】
図２に示すように、携帯型電子デバイス（１００）は、ドッキングステーション（２０１）にインタフェースされる、ドッキングステーション（２０１）に接続される、ドッキングステーション（２０１）によって支持される、かつ／またはドッキングステーション（２０１）内に収容されるようデザインされる。一部の実施形態では、ドッキングステーションは、携帯型電子デバイス（１００）のポートに単にケーブル接続されてもよい。なお他の実施形態では、ドッキングステーション（２０１）は、両者が物理的接触状態にあるか否かによらず、携帯型電子デバイス（１００）にワイヤレスでインタフェースするワイヤレス送受信機であってよい。図２の例証的な実施例では、ドッキングステーション（２０１）は、携帯型電子デバイス（１００）を受取り、物理的に支持すると共に、携帯型電子デバイス（１００）とホストデバイス（２０３）との間にデータ通信経路を提供するクレードルを含む。ドッキングステーション（２０１）は、ホストデバイス（２０３）から分離されてもよく、または、ホストデバイス（２０３）内に統合されてもよい。いずれの場合も、ドッキングステーション（２０１）は、ホストデバイス（２０３）に通信可能に結合する。
【００３１】
携帯型電子デバイス（１００）によって受信されるかまたは格納されるメディアコンテンツ（１０７）を、ユーザがホストデバイス（２０３）上で提示されるように再生したいと思うとき、携帯型電子デバイス（１００）は、ドッキングステーション（２０１）にインタフェースする。ドッキングステーション（２０１）にインタフェースされると、携帯型電子デバイス（１００）は、ホストデバイス（２０３）上で所望のメディアコンテンツ（１０７）表示するのに必要とされるデータを送信する。
【００３２】
本実施例では、ホストデバイス（２０３）は、大型スクリーンモニタまたはテレビジョンデバイスとして示される。しかし、ホストデバイス（２０３）は、携帯型電子デバイス（１００）からのメディアコンテンツ（１０７）を再生成するのに適した任意のデバイス、たとえば、コンピュータシステムまたはセットトップボックスおよびモニタシステムであってよい。一部の実施形態では、コンテンツ（１０７）は、ビデオコンテンツであり、ディスプレイとスピーカの両方を利用する。他の実施形態では、メディアコンテンツ（１０７）は、オーディオだけであり、スピーカが、ホストデバイス（２０３）として十分である可能性がある。なお他の実施形態では、コンテンツ（１０７）は、静止のまたはアクティブなビデオおよび／またはオーディオの任意の組合せを含んでもよい。
【００３３】
示すように、携帯型電子デバイス（１００）とドッキングステーション（２０１）を通信可能にインタフェースするいくつかの異なる配置構成が存在する。多くの実施形態では、このインタフェースは電気的なものである。図３は、携帯型電子デバイス（１００）の１つの縁部上に配設される電気コネクタ（３０１）を有する携帯型電子デバイス（１００）の実施例を示す。電気コネクタ（３０１）は、ドッキングステーション（２０１、図２）内の対応する電気コネクタに嵌合するよう構成され、そのため、携帯型電子デバイス（１００）とドッキングステーション（２０１、図２）との間にデータ通信を確立する。電気コネクタ（３０１）は、複数の個々のピンまたは電気トレースを有してもよい。
【００３４】
他の実施形態では、携帯型電子デバイス（１００）とドッキングステーションとの間の通信インタフェースは、光学手段またはワイヤレス手段によって得られてもよい。たとえば、図２に戻ると、携帯型電子デバイス（１００）およびドッキングステーション（２０１）は共に、携帯型電子デバイス（１００）とドッキングステーション（２０１）との間にブルートゥース通信または赤外線（ＩＲ）通信を使用可能にするハードウェアおよびソフトウェアを有してもよい。多くのタイプの通信システムが、当技術分野で利用可能であり、携帯型電子デバイス（１００）とドッキングステーション（２０１）との間で双方向通信を使用可能にする通信のうちの任意の通信が、本仕様の原理に従って使用されてもよい。
【００３５】
なお図２を参照すると、携帯型電子デバイス（１００）とドッキングステーション（２０１）との間のインタフェースは、メディアコンテンツ信号、コントロール信号、および電力を含むいくつかの異なるタイプの信号を搬送しうる。一部の実施形態では、増加したデータ帯域幅は、携帯型電子デバイス（１００）からドッキングステーション（２０１）へコネクタ（３０１、図３）のいくつかの個々のピンを通じてメディアコンテンツを送信することによって達成される。他の実施形態では、携帯型電子デバイス（１００）とドッキングステーション（２０１）との間の追加の電気接続が、携帯型電子デバイス（１００）にコントロール信号または電力を供給するために使用されてもよい。
【００３６】
一部の実施形態では、リモートコントロールデバイス（２０５）は、ドッキングステーション（２０１）またはホストデバイス（２０３）と通信状態にあり、ユーザ選好に従ってメディアコンテンツが操作されるように、ドッキングステーション（２０１）を通して携帯型電子デバイス（１００）にユーザ入力を供給してもよい。他の実施例では、リモートコントロールデバイス（２０５）は、携帯型デバイス（１００）と直接通信してもよい。
【００３７】
ここで図４を参照すると、携帯型電子デバイス（１００）は、ドッキングステーション（２０１）内にドッキングされて示される。ドッキングステーション（２０１）は、ホストデバイス（２０３）と通信状態にあり、ホストデバイス（２０３）は、ディスプレイまたはスクリーン（４０１）上に携帯型電子デバイス（１００）からのメディアコンテンツ（１０７）を表示する。
【００３８】
携帯型電子デバイス（１００）からのメディアコンテンツは、ホストデバイス（２０３）によって使用されるフォーマットおよび解像度でホストデバイス（２０３）のスクリーン（４０１）上に表示される。当業者によって理解されるように、また、本実施例によって実証されるように、解像度と表示サイズとの間の大きな相違が、携帯型電子デバイス（１００）とホストデバイス（２０３）との間に、または、異なるホストデバイス間に存在する可能性がある。そのため、携帯型電子デバイス（１００）にとって許容可能なフォーマットおよび解像度であるメディアコンテンツが、必ずしもホストデバイス（２０３）による表示に適するわけではない場合がある。携帯型デバイス（１００）の固有の表示特性とホストデバイス（２０３）の固有の表示特性との間のこの差は、いくつかの方法で対処されうる。
【００３９】
一部の実施形態では、ドッキングステーション（２０１）は、携帯型デバイス（１００）がドッキングステーション（２０１）に接続されるかまたはドッキングステーション（２０１）にその他の方法でインタフェースされるときを検出するよう構成される。応答して、ドッキングステーション（２０１）は、携帯型電子デバイス（１００）から到来するコンテンツを用いて、ホストデバイス（２０３）上で表示される任意の既存のメディアコンテンツに先んじるかまたは任意の既存のメディアコンテンツを置換えるように、ホストデバイス（２０３）に合図することになる。たとえば、携帯型電子デバイス（１００）以外のある供給源からのあるメディアコンテンツをホストデバイス（２０３）が表示している場合、ドッキングステーション（２０１）は、携帯型電子デバイス（１００）とのインタフェースを確立するとすぐ、ホストデバイス（２０３）内のメディアコンテンツの入力源を携帯型電子デバイス（１００）から受信されるメディアコンテンツ（１０７）に自動的に切換え、したがって、ホストデバイス（２０３）上の既存のメディアコンテンツに先んじる。携帯型電子デバイス（１００）とのインタフェースがドッキングステーション（２０１）によって検出されると、ドッキングステーション（２０１）は、ホストデバイス（２０３）に特別なコントロール信号を送出することによってこれを達成してもよい。
【００４０】
一部の実施形態では、携帯型電子デバイス（１００）は、メディアコンテンツ（１０７）を、いずれもホストデバイス（２０３）に適合しない制限された数のフォーマットでドッキングステーション（２０１）に送信できるだけであってよい。これらの場合、ドッキングステーション（２０１）は、メディアコンテンツ（１０７）を第１フォーマットで携帯型電子デバイス（１００）から受信し、再生のためにメディアコンテンツ（１０７）をホストデバイス（２０３）に出力する前に、ホストデバイス（２０３）に適合する第２フォーマットにメディアコンテンツ（１０７）を再変換するよう構成されてもよい。ドッキングステーション（２０１）によるこの変換は、一部の実施形態ではリアルタイムに、また、他の実施形態では時間遅延方式で起こってもよい。
【００４１】
ある場合には、異なるドッキングステーション（２０１）が、異なるホストデバイス（２０３）と共に使用するために作成されてもよい。他の場合には、ユニバーサルドッキングステーション（２０１）が、メディアコンテンツを、使用されてもよい全てのまたは少なくとも最も可能性が高いフォーマットに変換するよう構成される。なお他の実施形態では、プログラマブルなドッキングステーション（２０１）が、メディアコンテンツ（１０７）を１つの特定のフォーマットから別のフォーマットへ変換するように、ユーザまたはオペレータによって柔軟に構成されてもよい。
【００４２】
なお他の実施形態では、携帯型電子デバイス（１００）は、複数の異なるフォーマットでドッキングステーション（２０１）にメディアコンテンツ（１０７）を送信するよう構成されてもよい。ホストデバイス（２０３）用の適切なメディアコンテンツ（１０７）フォーマットは、ドッキングステーション（２０１）によって、利用可能なフォーマットの中から選択され、ホストデバイス（２０３）に中継されてもよい。
【００４３】
他の実施例では、ホストデバイス（２０３）用の正しいフォーマットは、ドッキングステーション（２０１）、ホストデバイス（２０３）、またはユーザ入力によって、ドッキングステーション（２０１）を通して携帯型電子デバイス（１００）に自動的に通信されてもよい。携帯型電子デバイス（１００）は、その後、指示されたフォーマット以外の任意のフォーマットでメディアコンテンツ（１０７）を出力することを中止しうる。  
【００４４】
ここで図５を参照すると、移動体メディアプレゼンテーションの例証的なシステム（５００）が示される。システム（５００）は、ユーザ（５０１）によって作動される、複数のホストデバイス（５０７、５１７、５１９）および少なくとも１つの携帯型電子デバイス（１００）を含む。
【００４５】
例証的なシステム（５００）は、携帯型電子デバイス（１００）とワイヤレス通信状態にある衛星送信機（５０３）を含む。この実施例の衛星送信機（５０３）は、携帯型電子デバイス（１００）に、ストリーム転送用のまたはダウンロード用のメディアコンテンツ（１０７、図１）を提供し、メディアコンテンツ（１０７、図１）は、携帯型電子デバイス（１００）によって再生されるか、一時停止されるか、またはその他の方法で再生成されてもよい。他の実施形態では、メディアコンテンツ（１０７、図１）は、携帯タイプ送信機、無線周波数（ＲＦ）送受信機、ブルートゥース送受信機、公共ブロードキャストアンテナなどによって携帯型電子デバイス（１００）に供給されてもよい。これらの実施形態のうちの任意の実施形態では、メディアコンテンツ（１０７、図１）は、携帯型電子デバイス（１００）内に電子的に格納されるかまたはリアルタイムにストリーム転送されてもよい。
【００４６】
ホストデバイス（５０７、５１７、５１９）はそれぞれ、携帯型電子デバイス（１００）にインタフェースするよう構成される対応するドッキングステーション（５１３、５１５、５２０）を有する。先に説明したように、携帯型デバイス（１００）とホストデバイスをインタフェースすることは、携帯型電子デバイス（１００）からまたは携帯型電子デバイス（１００）を通して受信されるメディアコンテンツ（１０７、図１）をホストデバイスが表示することを可能にする。
【００４７】
図５に示すように、ホストデバイスの１つ（５１９）は、自動車（５２２）の内部に設置されてもよい。他の事例の場合と同様に、ホストデバイス（５１９）に対応するドッキングステーション（５２０）は、自動車（５２２）内に設けられる。車両（５２２）の内部のドッキングステーション（５２０）は、携帯型電子デバイス（１００）から搭乗者によってアクセス可能な内部ディスプレイおよびスピーカ（５１９）へのメディアコンテンツ（１０７、図１）の転送を可能にする。
【００４８】
図５に示すシステム（５００）は、メディアコンテンツ（１０７、図１）の再生についての真のシームレスな移動性を示す。携帯型電子デバイス（１００）は、ロケーションの物理的変化によらず、メディアコンテンツ（１０７、図１）を絶えず受信する。点線（５０５、５０９、５１１）は、異なるホストデバイス（５０７、５１７、５１９）間の携帯型電子デバイス（１００）の例示的な経路を示す。
【００４９】
本実施例によれば、携帯型電子デバイス（１００）は、衛星送信機（５０３）からメディアコンテンツ（１０７、図１）のストリームを絶えず受信していてもよい。携帯型電子デバイス（１００）は、最初、第１ホストデバイス（５０７）にインタフェースされ、ドッキングステーション（５１３）を通して第１ホストデバイス（５０７）上でコンテンツ（１０７、図１）を表示してもよい。携帯型電子デバイス（１００）のユーザ（５０１）は、その後、ロケーションを変更し、対応するドッキングステーション（５１５）を介して別のホストデバイス（５１７）上でメディアコンテンツ（１０７、図１）を表示することを希望してもよい。この第２のホストデバイス（５１７）は、別の部屋または建物内にあってよく、または、第１ホストデバイス（５０７）に関して利用可能でない、ユーザによって所望される特徴を提供してもよく、あるいは、第２のホストデバイス（５１７）は、単に、ユーザ（５０１）がそこへ移動したいと思う別のロケーションにあってもよい。
【００５０】
最終的に、ユーザ（５０１）は、第２のホストデバイス（５１７）から携帯型電子デバイス（１００）をはずし、携帯型電子デバイス（１００）を自動車（５２２）内のホストデバイス（５１９）に関連するドッキングステーション（５２０）に接続してもよい。自動車のホストデバイス（５１９）は、その後、自動車（５２２）の内部オーディオビジュアルシステム上でメディアコンテンツ（１０７、図１）を表示してもよい。
【００５１】
ロケーションの変更によって、ユーザ（５０１）は、単一供給源（たとえば、５０３）からメディアコンテンツ（１０７、図１）を受信してもよい。ユーザ（５０１）はまた、ロケーションからロケーションへのメディアコンテンツ（１０７、図１）の再生を、合間にメディアコンテンツを喪失することなく、または、各ロケーションでプログラムを再始動させることなく、シームレスに移す可能性がある。
【００５２】
ホストデバイスのいずれにもインタフェースされないとき、携帯型デバイス（１００）自体は、ユーザ選好に応じてユーザが選択したメディアコンテンツを再生してもよい。一部の実施形態では、メディアコンテンツ（１０７、図１）は、ドッキングステーション（５１３、５１５、５２０）間での移行中に携帯型電子デバイス（１００）によって一時停止されてもよい。他の実施形態では、ユーザ（５０１）は、携帯型電子デバイス（１００）をホストデバイス（５０７、５１７、５１９）間で移しながら、携帯型電子デバイス（１００）のディスプレイ上でメディアコンテンツ（１０７、図１）を視聴してもよい。
【００５３】
ドッキングステーション（５１５）は、リモートコントロールデバイス（５２３）から信号を受信するよう構成されるセンサ（５２１）を有するとして示される。リモートコントロールデバイスからの信号は、メディアコンテンツ（１０７、図１）のある再生態様を制御してもよい。示す実施例のドッキングステーションの任意のものまたは全てが、同じまたは別個のリモートコントロールデバイスを用いて制御可能であってよい。リモートコントロール信号が影響を及ぼす可能性がある再生態様の実施例は、再生速度、再生シーケンス、再生ボリューム、および再生解像度を含むが、それに限定されない。リモートコントロールデバイス（５２３）からの信号が、センサ（５２１）で検出されると、適切なコントロール信号が、ドッキングステーション（５１５）によって携帯型電子デバイス（１００）に送出されてもよい。他の実施形態では、リモートコントロールデバイス（５２３）は、携帯型デバイス（１００）と直接通信してもよい。
【００５４】
ここで図６を参照すると、移動体メディアプレゼンテーションの例証的なシステム（６００）が示される。システム（６００）は、携帯型電子デバイス（６０７）と通信状態にあるコンテンツ供給源（６０５）を含む。コンテンツ供給源（６０５）は、契約ベースのネットワークプロバイダ、ワイヤレスネットワークによるインターネットサーバ、アドホックタイプのネットワーク上のデバイスなどであってよい。示す実施例では、コンテンツ供給源（６０５）および携帯型電子デバイス（６０７）はそれぞれ、アンテナ（それぞれ６０１、６０３）を有し、したがって、コンテンツ供給源（６０５）と携帯型電子デバイス（６０７）との間でワイヤレス通信を使用可能にする。しかし、コンテンツ供給源（６０５）と携帯型電子デバイス（６０７）との間の他の通信システムが使用されうる。
【００５５】
携帯型電子デバイス（６０７）はまた、第１通信インタフェース（６０８）を通してドッキングステーション（６０９）と通信状態にある。ドッキングステーション（６０９）は、本仕様において先に述べた原理に従って、第２の通信インタフェース（６１２）を通してホストデバイス（６１３）と通信状態にある。一部の実施形態では、ドッキングステーション（６０９）は、確立されると、携帯型電子デバイス（６０７）とのインタフェース（６０８）を検出し、ホストデバイス（６１３）上でそのとき提示されている既存のメディアコンテンツに先んじるよう構成される。メディアコンテンツは、その後、ドッキングステーション（６０９）を介して、携帯型電子デバイス（６０７）から再生用のホストデバイス（６１３）に送信される。
【００５６】
本実施例のドッキングステーション（６０９）はまた、リモートコントロールデバイス（６１１）と通信状態にある。ドッキングステーション（６０９）は、リモートコントロールデバイス（６１１）からの信号を検出するよう構成されるセンサを有してもよい。処理要素（６１０）は、リモートコントロールデバイス（６１１）からの信号を復号化し、相応して、携帯型電子デバイス（６０７）と相互作用してもよい。リモートコントロールデバイス（６１１）からの信号は、限定はしないが、再生速度、再生シーケンス、再生ボリューム、再生解像度、および組合せなどの、メディアコンテンツのある再生態様を制御
するよう構成されてもよい。
【００５７】
ここで図７を参照すると、移動体メディアプレゼンテーションの別の例証的なシステム（７００）が示される。図７の実施例では、単一のコンテンツ供給源（７０１）が、それぞれのアンテナ（７０３、７０５、７０７、７０９）を通して複数の携帯型電子デバイス（７１１、７１３、７１５）と通信状態にあってもよい。コンテンツ供給源（７０１）は、携帯型電子デバイス（７１１、７１３、７１５）のそれぞれに同じメディアコンテンツをブロードキャストしてもよい。他の実施形態では、携帯型電子デバイス（７１１、７１３、７１５）は、周波数領域または時間領域で信号を多重化するか、特定のデバイスに対してデータパケットをアドレス指定するか、マルチキャストアドレス指定するか、または、当技術分野で利用可能な他の方法を使用することによって、同じコンテンツ供給源（７０１）から異なるメディアコンテンツを受信してもよい。
【００５８】
携帯型電子デバイスの２つ（７１１、７１５）は、ドッキングステーション（それぞれ７１７、７１９）と通信状態にあり、ドッキングステーション（それぞれ７１７、７１９）は、次に、ホストデバイス（７２１、７２３）と通信状態にある。メディアコンテンツは、携帯型電子デバイス（７１１、７１３、７１５）のドッキング状態によらず、携帯型電子デバイス（７１１、７１３、７１５）に送信されてもよい。しかし、一部の実施形態では、特定の携帯型電子デバイス（７１１、７１３、７１５）に送信されるメディアコンテンツの解像度および／またはフォーマットは、デバイスのドッキング状態および携帯型電子デバイス（７１１、７１５）がインタフェースされるドッキングステーション（７１７、７１９）に関連するホストデバイス（７２１、７２３）のタイプに応じて変わってもよい。特に、コンテンツ供給源（７０１）は、対応する携帯型電子デバイス（たとえば７１１）が特定のタイプのホストデバイス（７２１）にインタフェースされていることを合図されると、その特定のホストデバイス（７２１）用にフォーマットされるメディアコンテンツを提供してもよい。
【００５９】
ここで図８を参照すると、携帯電話ネットワークが、携帯型電子デバイス（８０８）にメディアコンテンツを送信するのに使用されてもよい。移動体メディアプレゼンテーションの例証的なシステム（８００）が示され、コンテンツ供給源として働く中央サーバ（８０１）と通信状態にある複数の送受信機（８０２、８０３、８０４）を有する。送受信機（８０２、８０３、８０４）はそれぞれ、ある地理的領域（８０５、８０６、８０７）または「セル(cell)」に関連する。全てのセルが共にサービスエリアを構成する。
【００６０】
携帯型電子デバイス（８０８）は、メディアコンテンツ送信の最中に、１つの地理的領域（８０５、８０６、８０７）から別の地理的領域に横断しながら、サービスエリア内を移動してもよい。その結果、携帯型電子デバイス（８０８）にメディアコンテンツを提供する送受信機（８０２、８０３、８０４）は、任意の所与の時間に携帯型電子デバイス（８０８）によって使用される地理的領域（８０５、８０６、８０７）に対応するその送受信機（８０２、８０３、８０４）に切換えられてもよい。こうして、メディアコンテンツストリームおよび再生の連続性が、携帯型電子デバイス（８０８）を通して提供されてもよい。
【００６１】
先の実施例の場合と同様に、本実施例の携帯型電子デバイス（８０８）は、ドッキングステーション（８０９）、拡張すると、携帯型電子デバイス（８０８）によって受信されるメディアコンテンツを表示するよう構成されるメディアプレゼンテーションホストデバイス（８１０）にインタフェースされてもよい。本実施例のドッキングステーション（８０９）およびホストデバイス（８１０）は、携帯型であり、サービスエリアの種々の地理的領域（８０５、８０６、８０７）間を携帯型電子デバイス（８０８）が移動するときに、携帯型電子デバイス（８０８）と通信状態にあるままである。一部の実施形態では、ドッキングステーション（８０９）およびメディアプレゼンテーションホストデバイス（８１０）は、自動車に関連してもよく、したがって、単一のエンティティ内に位置しながら、移動性があるように見える。
【００６２】
あるいは、携帯型電子デバイス（８０８）は、移動の前にまたは移動中に、ドッキングステーション（８０９）およびホストデバイス（８１０）からはずされてもよい。一部の実施形態では、随伴するメディアプレゼンテーションホストデバイスを有するさらなるドッキングステーションが、他の地理的領域（８０５、８０６、８０７）内で利用可能であってもよい。
例証的方法
ここで図９を参照すると、移動体メディアプレゼンテーションの例証的方法（９００）のフローチャートが示される。示す方法（９００）は、携帯型電子デバイスおよびメディアプレゼンテーションホストデバイスにインタフェースされるかまたは通信状態にあるドッキングステーション内で実行されてもよい。方法（９００）は、確立されると、携帯型電子デバイスとのインタフェースを検出するステップを含む（ステップ９０１）。新しく確立されるインタフェースは、ホストデバイスと携帯型電子デバイスとの間の通信がドッキングステーションを通して確立されるときに検出されてもよい。携帯型電子デバイスまたはドッキングステーションは、その後、メディアコンテンツが携帯型電子デバイスから入手可能であることをホストデバイスに合図してもよい。
【００６３】
一部の実施形態では、携帯型電子デバイスは、その後、それ自身のハードウェアおよびユーザインタフェースを使用してコンテンツを出力することを止めてもよい（ステップ９０３）。いずれの場合も、携帯型電子デバイスは、その後、ドッキングステーションとの外部インタフェースを通してコンテンツを送信する（ステップ９０５）。
【００６４】
一部の実施形態では、データは、ホストデバイスに適合するフォーマットで携帯型電子デバイスに既に提供されている。こうした場合、コンテンツは、ドッキングステーションを通して携帯型電子デバイスからホストデバイスへ未変更のままストリーム転送されうる。他の実施形態では、携帯型電子デバイスによって最初に受信されるコンテンツのフォーマットは、ホストデバイスに適合しない可能性がある。そのため、コンテンツが、ホストデバイス用に再フォーマットされるべきかどうかが判定されてもよい（ステップ９０７）。再フォーマットが指示される場合、携帯型電子デバイスは、コンテンツのフォーマットをホストデバイスによって使用されるフォーマットに変換してもよい（ステップ９０９）。しかし、代替の実施形態では、この変換は、ある他のシステムコンポーネントによって実施されてもよい。
【００６５】
メディアコンテンツは、その後、ホストデバイス上でユーザに提示される（ステップ９１１）。一部の実施形態では、その後、ホストデバイスに関連する他のコンテンツ送出手段が先んじられる（ステップ９１０）。換言すれば、携帯型電子デバイスからのメディアコンテンツの送信の継続時間全体を通して、ホストデバイスは、携帯型電子デバイス以外の任意の供給源から受信されるメディアコンテンツを再生しない。さらに、一部の実施形態では、メディアコンテンツがホストデバイス上で提示される方法は、リモートコントロールデバイスからの入力に応じて変わってもよい。
【００６６】
ここで図１０を参照すると、移動体メディアプレゼンテーションの別の例証的方法（１０００）のフローチャートが示される。方法（１０００）は、確立されると、携帯型電子デバイスとのインタフェースを検出するステップを含む（ステップ１００１）。
【００６７】
ストリーム転送用メディアコンテンツは、携帯型電子デバイスからドッキングステーションによって受信され（ステップ１００３）、メディアコンテンツのフォーマットが、その後判定される（ステップ１００５）。ドッキングステーションは、メディアコンテンツのフォーマットがホストデバイスに適合するかどうかを判定する（判定１００７）。フォーマットがホストデバイスに適合しない場合、ストリーム転送用メディアコンテンツは、ドッキングステーションによって、ホストデバイスに適合するフォーマットに変換される（ステップ１００９）。メディアコンテンツは、その後、ホストデバイスに適合するフォーマットでホストデバイスにストリーム転送され（ステップ１００９）、ホストデバイスにて、コンテンツがユーザに提示される（ステップ１０１３）。メディアコンテンツのフォーマットがホストデバイスに適合することが見出される（判定１００７）場合、メディアコンテンツは、ホストデバイスにストリーム転送されるだけであり（ステップ１０１１）、ホストデバイスにて、コンテンツがユーザに提示される（ステップ１０１３）。
【００６８】
ここで図１１を参照すると、移動体メディアプレゼンテーションの別の例証的方法（１１００）のフローチャートが示される。方法（１１００）は、ストリーム転送用メディアコンテンツを携帯型電子デバイスにワイヤレスで受信することを含む（ステップ１１０１）。メディアコンテンツは、その後、携帯型電子デバイスがインタフェースされる第１ドッキングステーションに関連する第１ホストデバイス上で再生成される（ステップ１１０３）。
【００６９】
携帯型電子デバイスからのメディアコンテンツのストリームが一時停止され（ステップ１１０５）、携帯型電子デバイスが第１ドッキングステーションから取外される（ステップ１１０７）。携帯型電子デバイスは、その後、第２ドッキングステーションにインタフェースされ（ステップ１１０９）、携帯型電子デバイスからのメディアコンテンツのストリームが、その後再開する（ステップ１１１１）。メディアコンテンツは、その後、第２ドッキングステーションを通して第２ホストデバイスに送信される（ステップ１１１３）。
【００７０】
一部の実施形態では、メディアコンテンツの表示および再生成は、第１ドッキングステーションからの取外し（ステップ１１０７）と第２ドッキングステーションへのインタフェース（ステップ１１０９）との間に、携帯型電子デバイスによって継続されてもよい。他の実施形態では、メディアコンテンツの再生成または再生は、ドッキングステーション間で一時停止してもよい。
【００７１】
あるいは、携帯型電子デバイスが第１または第２ドッキングステーションのいずれにもインタフェースされないとき、コンテンツ供給源から携帯型電子デバイスへのメディアコンテンツのストリームは一時停止されてもよい。この一時停止は、自動であってよく、または、ユーザ始動式であってよい。
【００７２】
ここで図１２を参照すると、移動体メディアプレゼンテーションの別の方法（１２００）のフローチャートが示される。方法（１２００）は、携帯型電子デバイスと通信状態にあるメディアコンテンツプロバイダによって実行されてもよい。
【００７３】
方法（１２００）は、第１フォーマットで、たとえば、第１解像度で携帯型電子デバイスにデジタルコンテンツをストリーム転送する（ステップ１２０１）ことを含む。その後、フォーマットが、異なるフォーマット、たとえば、第２解像度に変更されるべきであるという指示が受信される（ステップ１２０３）。これは、携帯型電子デバイスがドッキングステーションにインタフェースされること、および、ホストデバイスが異なるフォーマットを要求するという判定によってトリガーされる。ドッキングステーションは、携帯型電子デバイスからストリーム転送されるメディアコンテンツを受信し、メディアコンテンツをメディアプレゼンテーションホストデバイスに送信するよう構成されてもよい。
【００７４】
指示は、携帯型電子デバイスからメディアコンテンツプロバイダに戻るように送信されるデジタルデータの形態であってよい。指示は、ドッキングステーションと通信状態にあるホストデバイスのタイプを指定するデータおよびメディアコンテンツ信号がそのホストデバイスによって再生されるための適切なフォーマットを含んでもよい。
【００７５】
第２のフォーマットが必要とされる、すなわち、携帯型電子デバイスがドッキングステーションにインタフェースされたという指示が受信される（ステップ１２０３）と、デジタルコンテンツは、指示されたホストデバイスのニーズに対応する第２のフォーマットで携帯型電子デバイスにストリーム転送される（ステップ１２０５）。たとえば、第１フォーマットは、携帯型電子デバイス上でメディアコンテンツを表示するのに使用される解像度であってよく、第２のフォーマットは、ホストデバイス上でメディアコンテンツを表示するのに使用される解像度であってよい。
【００７６】
先の説明は、述べられる原理の実施形態および実施例を示し述べるだけのために提示された。この説明は、網羅的であること、または、開示される任意の厳密な形態にこれらの原理を制限することを意図されない。多くの変更および変形が、上記教示に照らして可能である。
【００７７】
たとえば、図９〜１２に示し、本仕様において述べるプロセスは、汎用の、多目的の、または単一目的のプロセッサにおいて実施されてもよい。こうしたプロセッサは、アセンブリレベルか、コンパイルレベルか、またはマシンレベルで、そのプロセスを実施するための命令を実行することになる。これらの命令は、図９〜１２の説明に従って当業者によって書かれ、コンピュータ読取り可能媒体上に格納されるかまたは送信されうる。命令はまた、ソースコードまたは任意の他の知られているコンピュータ支援設計ツールを使用して生成されてもよい。コンピュータ読取り可能媒体は、これらの命令を搬送することが可能な任意の媒体であり、ＣＤ−ＲＯＭ、ＤＶＤ、磁気または他の光ディスク、テープ、シリコンメモリ（たとえば、取外し可能、取外し不可、揮発性、または不揮発性）、パケット化または非パケット化ワイヤラインまたはワイヤレス送信信号を含む。
【図１】
2011509564.tif 000003
【図２】
2011509564.tif 000004
【図３】
2011509564.tif 000005
【図４】
2011509564.tif 000006
【図５】
2011509564.tif 000007
【図６】
2011509564.tif 000008
【図７】
2011509564.tif 000009
【図８】
2011509564.tif 000010
【図９】
2011509564.tif 000011
【図１０】
2011509564.tif 000012
【図１１】
2011509564.tif 000013
【図１２】
2011509564.tif 000014
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
携帯型電子デバイス（１００、６０７、７１１、７１３、７１５、８０８）であって、
ワイヤレスコンテンツ（１０７）を受信するよう構成されるワイヤレス受信機と、
少なくとも１つの接続式メディアプレゼンテーションホストデバイス（２０３、５０７、５１７、５１９、６１３、７２１、７２３、８１０）を有するドッキングステーション（２０１、５１３、５１５、５２０、６０９、７１７、７１９、８０９）に接続する通信インタフェース（６０８，６１２）と、
コンテンツ再生成回路とを備え、前記コンテンツ再生成回路は、前記メディアプレゼンテーションホストデバイス（２０３、５０７、５１７、５１９、６１３、７２１、７２３、８１０）によって要求されるフォーマットを判定し、前記フォーマットで前記通信インタフェース（６０８，６１２）を通して前記ホストデバイス（２０３、５０７、５１７、５１９、６１３、７２１、７２３、８１０）に前記無線のコンテンツをストリーム転送する、携帯型電子デバイス（１００、６０７、７１１、７１３、７１５、８０８）。
【請求項２】
前記メディアプレゼンテーションホストデバイス（２０３、５０７、５１７、５１９、６１３、７２１、７２３、８１０）への接続を検出するための回路をさらに備える請求項１に記載の携帯型電子デバイス（１００、６０７、７１１、７１３、７１５、８０８）。
【請求項３】
前記ワイヤレスコンテンツ（１０７）の供給源（６０５、６０７）と通信するためのワイヤレス送信機（５０３）をさらに備える請求項１に記載の携帯型電子デバイス（１００、６０７、７１１、７１３、７１５、８０８）。
【請求項４】
ディスプレイスクリーン（１０３、４０１）をさらに備える請求項１に記載の携帯型電子デバイス（１００、６０７、７１１、７１３、７１５、８０８）。
【請求項５】
前記コンテンツ再生成回路は、携帯型電子デバイス（１００、６０７、７１１、７１３、７１５、８０８）が前記ドッキングステーション（２０１、５１３、５１５、５２０、６０９、７１７、７１９、８０９）に接続されないとき、さらに、前記ディスプレイスクリーン（１０３、４０１）上で前記無線のコンテンツを再生成する、請求項４に記載の携帯型電子デバイス（１００、６０７、７１１、７１３、７１５、８０８）。
【請求項６】
前記コンテンツ再生成回路は、第１フォーマットから、前記メディアプレゼンテーションホストデバイス（２０３、５０７、５１７、５１９、６１３、７２１、７２３、８１０）によって要求される前記第２フォーマットに前記ワイヤレスコンテンツ（１０７）を変換する請求項１に記載の携帯型電子デバイス（１００、６０７、７１１、７１３、７１５、８０８）。
【請求項７】
前記メディアプレゼンテーションホストデバイス（２０３、５０７、５１７、５１９、６１３、７２１、７２３、８１０）によって要求される前記フォーマットは、テレビジョンブロードキャストフォーマット、無線ブロードキャストフォーマット、高品位ビデオフォーマット、高品位オーディオフォーマット、従来のアナログビデオフォーマット、従来のアナログオーディオフォーマット、ストリーム転送用ビデオフォーマット、ならびに、その組合せおよびその派生物からなる群から選択される、請求項１に記載の携帯型電子デバイス（１００、６０７、７１１、７１３、７１５、８０８）。
【請求項８】
移動体メディアプレゼンテーションのシステム（５００、６００、７００、８００）であって、
リモートコンテンツ（１０７）プロバイダと、
前記リモートコンテンツ（１０７）プロバイダとワイヤレス通信状態にある携帯型電子デバイス（１００、６０７、７１１、７１３、７１５、８０８）とを備え、
前記携帯型電子デバイス（１００、６０７、７１１、７１３、７１５、８０８）は、コンテンツ（１０７）をメディアプレゼンテーションホストデバイス（２０３、５０７、５１７、５１９、６１３、７２１、７２３、８１０）に送信するとき、第１解像度の前記コンテンツ（１０７）を、また、コンテンツ（１０７）をメディアプレゼンテーションホストデバイス（２０３、５０７、５１７、５１９、６１３、７２１、７２３、８１０）に送信しないとき、第２解像度の前記コンテンツ（１０７）を、前記リモートコンテンツ（１０７）プロバイダから受信するよう構成されるシステム（５００、６００、７００、８００）。
【請求項９】
前記携帯型電子デバイス（１００、６０７、７１１、７１３、７１５、８０８）は、ディスプレイスクリーン（１０３、４０１）、スピーカ、およびその組合せからなる群から選択されるメディア再生成装置を備える請求項８に記載のシステム（５００、６００、７００、８００）。
【請求項１０】
前記携帯型電子デバイス（１００、６０７、７１１、７１３、７１５、８０８）は、前記コンテンツ（１０７）をメディアプレゼンテーションホストデバイス（２０３、５０７、５１７、５１９、６１３、７２１、７２３、８１０）に送信しないとき、前記ディスプレイスクリーン（１０３、４０１）上で前記コンテンツ（１０７）を再生成するよう構成される請求項９に記載のシステム（５００、６００、７００、８００）。
【請求項１１】
前記携帯型電子デバイス（１００、６０７、７１１、７１３、７１５、８０８）は、ドッキングステーション（２０１、５１３、５１５、５２０、６０９、７１７、７１９、８０９）に選択的に接続するよう構成されるインタフェース回路を備え、前記ドッキングステーション（２０１、５１３、５１５、５２０、６０９、７１７、７１９、８０９）は、前記メディアプレゼンテーションホストデバイス（２０３、５０７、５１７、５１９、６１３、７２１、７２３、８１０）と通信状態にある請求項８に記載のシステム（５００、６００、７００、８００）。
【請求項１２】
前記インタフェース回路は、前記ドッキングステーション（２０１、５１３、５１５、５２０、６０９、７１７、７１９、８０９）への接続を検出し、前記検出によって、前記メディアプレゼンテーションホストデバイス（２０３、５０７、５１７、５１９、６１３、７２１、７２３、８１０）から解像度情報を取出す、請求項１１に記載のシステム（５００、６００、７００、８００）。
【請求項１３】
前記携帯型電子デバイス（１００、６０７、７１１、７１３、７１５、８０８）は、前記ドッキングステーション（２０１、５１３、５１５、５２０、６０９、７１７、７１９、８０９）の接続状態の変化を検出するとすぐ、前記コンテンツ（１０７）の前記解像度を変更するための要求を前記リモートコンテンツ（１０７）プロバイダに送信する、請求項８に記載のシステム（５００、６００、７００、８００）。
【請求項１４】
第１および第２のフォーマットは、テレビジョンブロードキャストフォーマット、無線ブロードキャストフォーマット、高品位ビデオフォーマット、高品位オーディオフォーマット、従来のアナログビデオフォーマット、従来のアナログオーディオフォーマット、ストリーム転送用ビデオフォーマット、ならびに、その組合せおよびその派生物からなる群から選択される請求項８に記載のシステム（５００、６００、７００、８００）。
【請求項１５】
モバイルメディアプレゼンテーションの方法であって、
第１フォーマットを有するデジタルコンテンツ（１０７）を携帯型電子デバイス（１００、６０７、７１１、７１３、７１５、８０８）にストリーム転送するステップと、
前記携帯型電子デバイス（１００、６０７、７１１、７１３、７１５、８０８）が前記にドッキングステーション（２０１、５１３、５１５、５２０、６０９、７１７、７１９、８０９）接続されたという指示を受信するステップと、
デジタルコンテンツ（１０７）を第２フォーマットで前記携帯型電子デバイス（１００、６０７、７１１、７１３、７１５、８０８）にストリーム転送するステップとを備える方法。
【請求項１６】
所望の解像度の、前記携帯型電子デバイス（１００、６０７、７１１、７１３、７１５、８０８）からの指示を受信するステップをさらに備える請求項１５に記載の方法。
【請求項１７】
前記デジタルコンテンツ（１０７）は、前記所望の解像度の前記第２フォーマットで前記携帯型電子デバイス（１００、６０７、７１１、７１３、７１５、８０８）にストリーム転送される、請求項１６に記載の方法。
【請求項１８】
前記第２解像度は、前記第１解像度より高い請求項１５に記載の方法。
【請求項１９】
前記第２フォーマットは、前記携帯型電子デバイス（１００、６０７、７１１、７１３、７１５、８０８）によって指示される所望のコンテンツプロトコルを含む請求項１５に記載の方法。
【請求項２０】
前記携帯型電子デバイス（１００、６０７、７１１、７１３、７１５、８０８）が、前記ドッキングステーション（２０１、５１３、５１５、５２０、６０９、７１７、７１９、８０９）から取り外されたという指示を受信するステップと、
デジタルコンテンツ（１０７）を前記第１解像度で前記携帯型電子デバイス（１００、６０７、７１１、７１３、７１５、８０８）にストリーム転送することを再開するステップとをさらに備える請求項１５に記載の方法。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
携帯型電子デバイス（１００、６０７、７１１、７１３、７１５、８０８）であって、
ワイヤレスコンテンツ（１０７）を受信するよう構成されるワイヤレス受信機と、
少なくとも１つの接続式メディアプレゼンテーションホストデバイス（２０３、５０７、５１７、５１９、６１３、７２１、７２３、８１０）を有するドッキングステーション（２０１、５１３、５１５、５２０、６０９、７１７、７１９、８０９）に接続する通信インタフェース（６０８，６１２）と、
コンテンツ再生成回路とを備え、前記コンテンツ再生成回路は、前記メディアプレゼンテーションホストデバイス（２０３、５０７、５１７、５１９、６１３、７２１、７２３、８１０）によって要求されるフォーマットを判定し、前記フォーマットで前記通信インタフェース（６０８，６１２）を通して前記ホストデバイス（２０３、５０７、５１７、５１９、６１３、７２１、７２３、８１０）に前記無線のコンテンツをストリーム転送する、携帯型電子デバイス（１００、６０７、７１１、７１３、７１５、８０８）。
【請求項２】
前記メディアプレゼンテーションホストデバイス（２０３、５０７、５１７、５１９、６１３、７２１、７２３、８１０）への接続を検出するための回路をさらに備える請求項１に記載の携帯型電子デバイス（１００、６０７、７１１、７１３、７１５、８０８）。
【請求項３】
前記ワイヤレスコンテンツ（１０７）の供給源（６０５、６０７）と通信するためのワイヤレス送信機（５０３）をさらに備える請求項１または２に記載の携帯型電子デバイス（１００、６０７、７１１、７１３、７１５、８０８）。
【請求項４】
ディスプレイスクリーン（１０３、４０１）をさらに備える請求項１〜３のいずれか一項に記載の携帯型電子デバイス（１００、６０７、７１１、７１３、７１５、８０８）。
【請求項５】
前記コンテンツ再生成回路は、携帯型電子デバイス（１００、６０７、７１１、７１３、７１５、８０８）が前記ドッキングステーション（２０１、５１３、５１５、５２０、６０９、７１７、７１９、８０９）に接続されないとき、さらに、前記ディスプレイスクリーン（１０３、４０１）上で前記無線のコンテンツを再生成する、請求項４に記載の携帯型電子デバイス（１００、６０７、７１１、７１３、７１５、８０８）。
【請求項６】
前記コンテンツ再生成回路は、第１フォーマットから、前記メディアプレゼンテーションホストデバイス（２０３、５０７、５１７、５１９、６１３、７２１、７２３、８１０）によって要求される前記第２フォーマットに前記ワイヤレスコンテンツ（１０７）を変換する請求項１〜５のいずれか一項に記載の携帯型電子デバイス（１００、６０７、７１１、７１３、７１５、８０８）。
【請求項７】
前記メディアプレゼンテーションホストデバイス（２０３、５０７、５１７、５１９、６１３、７２１、７２３、８１０）によって要求される前記フォーマットは、テレビジョンブロードキャストフォーマット、無線ブロードキャストフォーマット、高品位ビデオフォーマット、高品位オーディオフォーマット、従来のアナログビデオフォーマット、従来のアナログオーディオフォーマット、ストリーム転送用ビデオフォーマット、ならびに、その組合せおよびその派生物からなる群から選択される、請求項１〜６のいずれか一項に記載の携帯型電子デバイス（１００、６０７、７１１、７１３、７１５、８０８）。
【請求項８】
移動体メディアプレゼンテーションのシステム（５００、６００、７００、８００）であって、
リモートコンテンツ（１０７）プロバイダと、
前記リモートコンテンツ（１０７）プロバイダとワイヤレス通信状態にある携帯型電子デバイス（１００、６０７、７１１、７１３、７１５、８０８）とを備え、
前記携帯型電子デバイス（１００、６０７、７１１、７１３、７１５、８０８）は、コンテンツ（１０７）をメディアプレゼンテーションホストデバイス（２０３、５０７、５１７、５１９、６１３、７２１、７２３、８１０）に送信するとき、第１解像度の前記コンテンツ（１０７）を、また、コンテンツ（１０７）をメディアプレゼンテーションホストデバイス（２０３、５０７、５１７、５１９、６１３、７２１、７２３、８１０）に送信しないとき、第２解像度の前記コンテンツ（１０７）を、前記リモートコンテンツ（１０７）プロバイダから受信するよう構成されるシステム（５００、６００、７００、８００）。
【請求項９】
前記携帯型電子デバイス（１００、６０７、７１１、７１３、７１５、８０８）は、ディスプレイスクリーン（１０３、４０１）、スピーカ、およびその組合せからなる群から選択されるメディア再生成装置を備える請求項８に記載のシステム（５００、６００、７００、８００）。
【請求項１０】
前記携帯型電子デバイス（１００、６０７、７１１、７１３、７１５、８０８）は、前記コンテンツ（１０７）をメディアプレゼンテーションホストデバイス（２０３、５０７、５１７、５１９、６１３、７２１、７２３、８１０）に送信しないとき、第１のディスプレイスクリーン（１０３、４０１）上で前記コンテンツ（１０７）を再生成するよう構成される請求項８または９に記載のシステム（５００、６００、７００、８００）。
【請求項１１】
前記携帯型電子デバイス（１００、６０７、７１１、７１３、７１５、８０８）は、ドッキングステーション（２０１、５１３、５１５、５２０、６０９、７１７、７１９、８０９）に選択的に接続するよう構成されるインタフェース回路を備え、前記ドッキングステーション（２０１、５１３、５１５、５２０、６０９、７１７、７１９、８０９）は、前記メディアプレゼンテーションホストデバイス（２０３、５０７、５１７、５１９、６１３、７２１、７２３、８１０）と通信状態にある請求項８〜１０のいずれか一項に記載のシステム（５００、６００、７００、８００）。
【請求項１２】
前記インタフェース回路は、前記ドッキングステーション（２０１、５１３、５１５、５２０、６０９、７１７、７１９、８０９）への接続を検出し、前記検出によって、前記メディアプレゼンテーションホストデバイス（２０３、５０７、５１７、５１９、６１３、７２１、７２３、８１０）から解像度情報を取出す、請求項１１に記載のシステム（５００、６００、７００、８００）。
【請求項１３】
前記携帯型電子デバイス（１００、６０７、７１１、７１３、７１５、８０８）は、前記ドッキングステーション（２０１、５１３、５１５、５２０、６０９、７１７、７１９、８０９）の接続状態の変化を検出するとすぐ、前記コンテンツ（１０７）の前記解像度を変更するための要求を前記リモートコンテンツ（１０７）プロバイダに送信する、請求項８〜１０のいずれか一項に記載のシステム（５００、６００、７００、８００）。
【請求項１４】
第１および第２のフォーマットは、テレビジョンブロードキャストフォーマット、無線ブロードキャストフォーマット、高品位ビデオフォーマット、高品位オーディオフォーマット、従来のアナログビデオフォーマット、従来のアナログオーディオフォーマット、ストリーム転送用ビデオフォーマット、ならびに、その組合せおよびその派生物からなる群から選択される請求項８〜１３のいずれか一項に記載のシステム（５００、６００、７００、８００）。
【請求項１５】
モバイルメディアプレゼンテーションの方法であって、
第１フォーマットを有するデジタルコンテンツ（１０７）を携帯型電子デバイス（１００、６０７、７１１、７１３、７１５、８０８）にストリーム転送するステップと、
前記携帯型電子デバイス（１００、６０７、７１１、７１３、７１５、８０８）が前記にドッキングステーション（２０１、５１３、５１５、５２０、６０９、７１７、７１９、８０９）接続されたという指示を受信するステップと、
デジタルコンテンツ（１０７）を第２フォーマットで前記携帯型電子デバイス（１００、６０７、７１１、７１３、７１５、８０８）にストリーム転送するステップとを備える方法。
【請求項１６】
所望の解像度の、前記携帯型電子デバイス（１００、６０７、７１１、７１３、７１５、８０８）からの指示を受信するステップをさらに備える請求項１５に記載の方法。
【請求項１７】
前記デジタルコンテンツ（１０７）は、前記所望の解像度の前記第２フォーマットで前記携帯型電子デバイス（１００、６０７、７１１、７１３、７１５、８０８）にストリーム転送される、請求項１６に記載の方法。
【請求項１８】
前記第２フォーマットは、前記第１フォーマットのよりも解像度が高い請求項１５〜１７のいずれか一項に記載の方法。
【請求項１９】
前記第２フォーマットは、前記携帯型電子デバイス（１００、６０７、７１１、７１３、７１５、８０８）によって指示される所望のコンテンツプロトコルを含む請求項１５〜１８のいずれか一項に記載の方法。
【請求項２０】
前記携帯型電子デバイス（１００、６０７、７１１、７１３、７１５、８０８）が、前記ドッキングステーション（２０１、５１３、５１５、５２０、６０９、７１７、７１９、８０９）から取り外されたという指示を受信するステップと、
デジタルコンテンツ（１０７）を前記第１フォーマットの解像度で前記携帯型電子デバイス（１００、６０７、７１１、７１３、７１５、８０８）にストリーム転送することを再開するステップとをさらに備える請求項１５〜１９のいずれか一項に記載の方法。
【国際調査報告】
2011509564.tif 000015